(57)【特許請求の範囲】
【請求項１】
少なくともイメージスキャナ及びプリンタを有し、ネットワークを介してコンピュータと接続可能なディジタル複合装置であって、
ディジタル複合装置本体の前記イメージスキャナ及びプリンタそれぞれの動作状況をＷＷＷブラウザが解釈可能な形式のデータとして格納する格納手段と、
ネットワークを介してコンピュータと接続するネットワーク接続手段と、
前記コンピュータからの指示によりＨＴＴＰ（Hyper Text Transfer Protocol）に従って前記格納手段で格納された前記イメージスキャナ及びプリンタそれぞれの動作状況を示すＷＷＷブラウザが解釈可能な形式のデータを送信するＨＴＴＰサーバ手段とを有することを特徴とするディジタル複合装置。
【請求項２】
前記格納手段に格納されたディジタル複合装置本体の動作状況はＨＴＭＬ（Hyper Text Markup Language）形式で動的に記述されることを特徴とする請求項１記載のディジタル複合装置。
【請求項３】
前記ＨＴＴＰサーバ手段は、ＣＧＩ（Common Gateway Interface）機能を有し、前記ＣＧＩ機能により前記ディジタル複合装置本体の動作を制御することを特徴とする請求項１記載のディジタル複合装置。
【請求項４】
前記ＣＧＩ機能により動作するＣＧＩスクリプトを作成しておき、前記コンピュータの汎用ブラウザから前記ＣＧＩスクリプトを実行させる指示により、前記ディジタル複合装置本体の動作を制御することを特徴とする請求項３記載のディジタル複合装置。
【請求項５】
前記コンピュータの汎用ブラウザから前記ＣＧＩスクリプトを実行させる指示は、ＨＴＭＬ（Hyper Text Markup Language）形式のファイルに記述されていることを特徴とする請求項４記載のディジタル複合装置。
【請求項６】
前記ＨＴＴＰサーバ手段は、ＨＴＴＰサーバソフトウェアを含み、汎用プラットフォームと互換性を有するＡＰＩ（Application Programming Interface）を備えることを特徴とする請求項１記載のディジタル複合装置。
【請求項７】
少なくともイメージスキャナ及びプリンタを有し、ネットワークを介してコンピュータと接続可能なディジタル複合装置の制御方法であって、
ディジタル複合装置本体の前記イメージスキャナ及びプリンタそれぞれの動作状況をＷＷＷブラウザが解釈可能な形式のデータとして当該ディジタル複合装置において格納し、
前記コンピュータからの指示によりＨＴＴＰ（Hyper Text Transfer Protocol）に従って格納された前記イメージスキャナ及びプリンタそれぞれの動作状況を示すＷＷＷブラウザが解釈可能な形式のデータを前記ディジタル複合装置から前記コンピュータへ送信することを特徴とするディジタル複合装置の制御方法。
【請求項８】
ＣＧＩ（Common Gateway Interface）機能により前記ディジタル複合装置の動作状況を取得することを特徴とする請求項７記載のディジタル複合装置の制御方法。
【請求項９】
前記ＣＧＩ機能により動作するＣＧＩスクリプトを作成しておき、前記コンピュータの汎用ブラウザから前記ＣＧＩスクリプトを実行させる指示により、前記ディジタル複合装置本体の動作を制御することを特徴とする請求項８記載のディジタル複合装置の制御方法。
【請求項１０】
前記コンピュータの汎用ブラウザから前記ＣＧＩスクリプトを実行させる指示は、ＨＴＭＬ（Hyper Text Markup Language）形式のファイルに記述されていることを特徴とする請求項９記載のディジタル複合装置の制御方法。
【発明の詳細な説明】
【０００１】
【発明の属する技術分野】
本発明はディジタル複合装置及びその制御方法に関し、複数のコンピュータが構内ネットワーク（ＬＡＮ）によって結ばれた環境において共に利用される、主として紙への印刷機能を中心とするプリンタ機能やファクシミリ機能を複合化したディジタル複合装置の効率的な運用及び管理に関するものである。
【０００２】
【従来の技術】
近年、コンピュータネットワークが利用されている環境では、ネットワークに対応したディジタル複合装置が普及し始めている。
【０００３】
これは、ディジタル式の複写機をベースとして、これにネットワーク接続機能、プリンタ機能、ファクシミリ機能、スキャニング機能などを融合したデジタル複合装置で、設置スペースの効率化や保守管理、消耗品管理などの簡略化に効果がある。
【０００４】
ところが、複写機能、プリント機能、ファクシミリ機能等はそれぞれ別の役割を担うため、本体装置の設置時の各種設定や運用開始後の各種設定変更、管理等を行うには、従来各々の機能毎に複合装置の操作部で操作することが求められてきた。
【０００５】
更に進んだものとして、設定・管理機能を有するソフトウェアをネットワーク上のパーソナルコンピュータのユーティリティソフトウェアとして動かすことで、ユーザ或いは管理者が複合装置本体と離れた場所からリモート操作により設定・管理作業を行うことができるシステムも提案されている。
【０００６】
【発明が解決しようとする課題】
しかしながら、上記従来例では、複合装置に複数の機能が融合しているため、操作系のみならず、設定・管理方法についても複雑になってきている。
【０００７】
このため、従来のように複合装置本体に設けられている操作部から各種設定等を行うことは、操作部の物理的大きさや画面の制約から非常に分かりにくいものとなってしまうという問題があった。
【０００８】
また、ネットワークで接続されたパーソナルコンピュータ上の設定・管理用ソフトウェアからリモート操作により各種設定・管理をする方法では、パーソナルコンピュータで一般的なＧＵＩ（Graphical User Interface）を利用することで、操作部の大きさや画面の大きさのような制約を逃れ、より分かり易く、操作し易いシステムを実現できるが、パーソナルコンピュータ用のソフトウェアは通常、一種類のプラットフォームでしか動作しないため、複数のプラットフォーム向けにソフトウェアを作成しなくてはならないという問題があった。
【０００９】
更に、プラットフォーム毎にユーザインターフェースが異なるため、取り扱い説明書等もそれぞれのプラットフォーム毎に作成しなければならないという問題もあった。
【００１０】
本発明は、上記課題を解決するためになされたもので、コンピュータの汎用ブラウザでネットワークを介して接続されたディジタル複合装置の動作状況を監視できるとともに、その動作を制御可能なディジタル複合装置及びその制御方法を提供することを目的とする。
【００１１】
【課題を解決するための手段】
上記目的を達成するために、本発明は、少なくともイメージスキャナ及びプリンタを有し、ネットワークを介してコンピュータと接続可能なディジタル複合装置であって、ディジタル複合装置本体の前記イメージスキャナ及びプリンタそれぞれの動作状況をＷＷＷブラウザが解釈可能な形式のデータとして格納する格納手段と、ネットワークを介してコンピュータと接続するネットワーク接続手段と、前記コンピュータからの指示によりＨＴＴＰ（Hyper Text Transfer Protocol）に従って前記格納手段で格納された前記イメージスキャナ及びプリンタそれぞれの動作状況を示すＷＷＷブラウザが解釈可能な形式のデータを送信するＨＴＴＰサーバ手段とを有することを特徴とする。
【００１２】
また、本発明は、少なくともイメージスキャナ及びプリンタを有し、ネットワークを介してコンピュータと接続可能なディジタル複合装置の制御方法であって、ディジタル複合装置本体の前記イメージスキャナ及びプリンタそれぞれの動作状況をＷＷＷブラウザが解釈可能な形式のデータとして当該ディジタル複合装置において格納し、前記コンピュータからの指示によりＨＴＴＰ（Hyper Text Transfer Protocol）に従って格納された前記イメージスキャナ及びプリンタそれぞれの動作状況を示すＷＷＷブラウザが解釈可能な形式のデータを前記ディジタル複合装置から前記コンピュータへ送信することを特徴とする。
【００１３】
【発明の実施の形態】
以下、図面を参照しながら本発明に係る実施の形態を詳細に説明する。
【００１４】
［第１の実施形態］
図１は、第１の実施形態におけるディジタル複合装置の機能を示すブロック図である。図示するように、ディジタル複合装置は、ＨＴＴＰ（Hyper Text Transfer Protocel）サーバ部１０１、本体コントローラ１０２、本体操作部１０３、画像処理部１０４、本体各部センサー１０５、本体各部アクチュエータ１０６の各部により構成されている。通常、スタンドアロンの複写機として動作する場合は、図２に示すような流れで各部が動作する。
【００１５】
即ち、ユーザによって本体操作部１０３から本体コントローラ１０２にコピー指示が入力されると、本体コントローラ１０２は本体各部アクチュエータ１０６（この場合、イメージスキャナ）に読み取り動作の指示信号を出力し、イメージスキャナにより原稿が読み取られる。この読み取り動作の際は本体各部センサー１０５からの信号に基づいて最適なコントロールが行われる。読み取った画像は画像処理部１０４で処理され、本体各部アクチュエータ１０６（この場合、プリンタ）へ送られる。そして、本体コントローラ１０２は、プリンタにおける各種画像形成段階を経て最終的に出力される過程で、プリンタ各部のアクチュエータを本体各部センサー１０５からの信号に基づいて最適になるようにコントロールする。
【００１６】
本実施形態によれば、図１に示すように、本体コントローラ１０２とＨＴＴＰサーバ部１０１のＣＰＵ１１２とは、本体インターフェース１１５を介して常に交信しており、本体コントローラ１０２で処理される各種情報、例えば本体各部センサー１０５からの信号や本体各部アクチュエータ１０６の動作状況がＨＴＴＰサーバ部１０１に取り込まれている。そして、この各種情報はＨＴＴＰサーバ部１０１のメモリ１１１に蓄えられるように構成されている。
【００１７】
また、ＨＴＴＰサーバ部１０１には、上述の本体コントローラ１０２からの各種情報をＨＴＭＬ（Hyper Text Markup Language）言語のファイル形式で参照できるようなＨＴＭＬファイルが格納されており、このＨＴＭＬファイルはネットワークインターフェース１１４を介して外部ネットワーク（ＬＡＮ）１０７上に接続されているクライアントコンピュータ１０８に、ＴＣＰ／ＩＰというネットワークプロトコルで転送される。
【００１８】
一方、クライアントコンピュータ１０８には、ディジタル複合装置のＨＴＴＰサーバ部１０１と交信し、転送されたＨＴＭＬファイルを解釈する機能を有する汎用のブラウザが装備されている。
【００１９】
ここで、ユーザが任意のクライアントコンピュータ上で上述の汎用ブラウザを稼働させ、ディジタル複合装置のＨＴＴＰサーバ部１０１に接続することにより、ディジタル複合装置の本体コントローラ１０２で処理される各種情報をリアルタイムでモニタすることができる。
【００２０】
本実施形態においては、クライアントコンピュータ１０８やオペレーティングシステムの種類は限定されることなく、現在一般的に用いられている殆ど全てを利用できるというメリットがある。これは、クライアントコンピュータ１０８側で必要とされるネットワークプロトコル、ブラウザとして一般的なものを利用できるからであり、特にディジタル複合装置のための専用ソフトウェアや、ハードウェアが必要ないからである。
【００２１】
このように、本実施形態によれば、クライアントコンピュータ１０８に専用のソフトウェアやハードウェアを何ら追加することなく、ネットワーク１０７上のクライアントコンピュータ１０８からディジタル複合装置の動作状況を監視することができる。
【００２２】
［第２の実施形態］
次に、本発明に係る第２の実施形態について詳細に説明する。第２の実施形態では、ＣＧＩ（Common Gateway Interface）機能をサポートしている場合を例に説明する。
【００２３】
図３は、ディジタル複合装置のＨＴＴＰサーバ部３０１の論理階層構造を示す図である。図示するように、第２の実施形態では、ＨＴＴＰサーバ部３０１上でＣＧＩ機能を使って動作するソフトウェア（以下、ＣＧＩスクリプト）３１１を予め作成しておき、かつ、ＨＴＭＬファイル３１２の中でこのＣＧＩスクリプト３１１を実行させるように記述しておくことにより、クライアントコンピュータ１０８からユーザが汎用ブラウザ上でＣＧＩスクリプト３１１を実行することができる。
【００２４】
また、ＨＴＴＰサーバ部３０１は、ＣＧＩ機能３１３を有するＨＴＴＰサーバソフトウェア３１４と、オペレーティングシステム（ＯＳ）３１５と、前述したインターフェース３１６、ネットワークインターフェース３１７、ＣＰＵ３１８、メモリ３１９とを含む。
【００２５】
第２の実施形態では、設計者が予め作成しておいたＣＧＩスクリプト３１１によって、ネットワーク１０７上のクライアントコンピュータ１０８からユーザがＨＴＴＰサーバ部３０１を直接制御することができる。
【００２６】
図４は、ＨＴＴＰサーバ部３０１に対するアクセス履歴を収集し解析表示するＣＧＩスクリプトを実装した時の動作を示すフローチャートである。
【００２７】
まず、ユーザがクライアントコンピュータ１０８上の汎用ブラウザで、ディジタル複合装置のＨＴＴＰサーバ部３０１にアクセスすると（ステップＳ１０１）、ＩＮＤＥＸ情報が記述されたＨＴＭＬファイルがアクセスされ、このＨＴＭＬファイルを解釈したページがブラウザ上に表示される（ステップＳ１０２）。ここで、このページ上にリンクされている、アクセス履歴を表示するＣＧＩスクリプトのリンク情報を含むＨＴＭＬファイルを指示すると、該当するページが表示され（ステップＳ１０３）、ここでＣＧＩスクリプトを起動するタグをクリックすると、該当するＣＧＩスクリプトの起動信号がブラウザを通してＨＴＴＰサーバ部３０１に送信され（ステップＳ１０４）、ＣＧＩスクリプトがＨＴＴＰサーバ部３０１上で起動される（ステップＳ２０１）。
【００２８】
これにより、ＣＧＩスクリプトはＨＴＴＰサーバ部３０１内のメモリ３１９を検索し、アクセス履歴を格納したファイルを読み込み、整理された形になるように統計処理を施したうえで、結果を標準出力のＨＴＭＬファイル形式で出力する（ステップＳ２０２）。ＨＴＴＰサーバソフトウェア３１４は、その出力結果をクライアントコンピュータ１０８に送信し（ステップＳ２０３）、クライアントコンピュータ１０８側ではブラウザがその出力を受け取り（ステップＳ１０５）、ＨＴＭＬファイルを解釈した上でブラウザ上のページにアクセス履歴を表示する（ステップＳ１０６）。
【００２９】
第２の実施形態によれば、クライアントコンピュータのプラットフォーム毎に専用のハードウェア、ソフトウェアの追加を必要とすることなく、事実上全ての汎用プラットフォームのマシンでアクセス履歴の確認を殆ど同じ操作で行うことができるという効果がある。
【００３０】
また、ＬＡＮ，ＷＡＮを問わず、ネットワークに繋がってさえいれば物理的にどんなに離れていても、特別な操作手順なしにアクセス履歴の確認を行うことができる。
【００３１】
［第３の実施形態］
次に、本発明に係る第３の実施形態について詳細に説明する。第３の実施形態では、ＣＧＩスクリプトによってディジタル複合装置の本体各部に直接作用する場合を例に説明する。
【００３２】
尚、ディジタル複合装置の構成は前述した第２の実施形態と同様であり、その説明は省略する。
【００３３】
図５は、ディジタル複合装置のイメージスキャナを起動させて原稿を読み取り、読み取った画像データをクライアントコンピュータ１０８上のブラウザで表示する動作を示すフローチャートである。
【００３４】
まず、ユーザがクライアントコンピュータ１０８上の汎用ブラウザで、ディジタル複合装置のＨＴＴＰサーバ部３０１にアクセスすると（ステップＳ３０１）、ＩＮＤＥＸ情報が記述されたＨＴＭＬファイルがアクセスされ、このＨＴＭＬファイルを解釈したページがブラウザ上に表示される（ステップＳ３０２）。ここで、このページ上にリンクされている、イメージスキャニングのためのＣＧＩスクリプトのリンク情報を含むＨＴＭＬファイルを指示すると、該当するページが表示され（ステップＳ３０３）、ここでＣＧＩスクリプトを起動するタグをクリックすると、該当するＣＧＩスクリプトの起動信号がブラウザを通してＨＴＴＰサーバ部３０１に送信され（ステップＳ３０４）、ＣＧＩスクリプトがＨＴＴＰサーバ部３０１上で起動される（ステップＳ４０１）。
【００３５】
これにより、ＣＧＩスクリプトは、本体インターフェース３１６を介して本体コントローラ１０２に対してイメージスキャナの動作命令を送出する（ステップＳ４０２）。一方、この命令により本体コントローラ１０２はイメージスキャナのアクチュエータ１０６に動作命令を出し、原稿画像をスキャンする（ステップＳ４０３）。ここで、読み取られた画像情報は画像処理部１０４にて処理され、ＨＴＴＰサーバ部３０１へ送られ、ＨＴＴＰサーバ部３０１内のメモリ３１９に保存される（ステップＳ４０４）。次に、ＣＧＩスクリプトはＨＴＴＰサーバ部３０１のメモリ３１９に保存された画像情報のリンク情報を含んだＨＴＭＬ形式のファイルを作成する（ステップＳ４０５）。そして、ＨＴＴＰサーバ部３０１がそのＨＴＭＬ形式のファイルをネットワークインターフェース３１７を介してクライアントコンピュータ１０８に送信する（ステップＳ４０６）。
【００３６】
これにより、クライアントコンピュータ１０８上のブラウザがＨＴＭＬ形式のファイルを受信すると（ステップＳ３０５）、そのファイルを解釈するが、このファイルにはスキャンした画像のリンク情報が入っているため、このリンク情報をたどってＨＴＴＰサーバ部３０１内の画像情報に対して読み取りリクエストを送信する（ステップＳ３０６）。ＨＴＴＰサーバ部３０１側でそのリクエストに従って画像情報をメモリ３１９から検索し（ステップＳ４０７）、クライアントコンピュータ１０８のブラウザに送信する（ステップＳ４０８）。これにより、ブラウザ内の画面上には読み取った原稿画像がＨＴＭＬファイルの指定に従って表示される（ステップＳ３０７）。
【００３７】
このように、第３の実施形態によれば、クライアントコンピュータのプラットフォーム毎に専用のハード、ソフトウェアの追加をする必要なしに、事実上全て汎用プラットフォームのマシンからネットワーク上のディジタル複合装置の原稿読取装置を操作し、読み取った原稿画像を手元のクライアントコンピュータ上のブラウザで見ることが可能となる。同時に、プラットフォームの違いに関係なく殆ど同じ操作で行うことができるという効果もある。
【００３８】
また、ＬＡＮ，ＷＡＮを問わず、ＴＣＰ・ＩＰプロトコルによるネットワークに繋がってさえいれば物理的にどんなに離れていても、特別な操作手順なしに遠隔地からディジタル複合装置の画像読取部を操作し、原稿画像を見ることができる。
【００３９】
以上説明した実施形態によれば、以下のような効果が得られる。
（１）ディジタル画像形成装置をコンピュータネットワークと接続し、ＣＰＵ、メモリ、Ｉ／Ｆ部を有するディジタル画像形成装置コントローラに、ＨＴＴＰを生成処理するＨＴＴＰサーバ機能を設けることにより、一般的なほとんどの種類のクライアントコンピュータ上で動作するＨＴＴＰブラウザ（ＷＷＷブラウザ）からＨＴＴＰサーバにアクセスできる効果がある。ＨＴＴＰサーバ上にＨＴＭＬファイルを用意しておけば、いわゆるホームページ形でプラットフォームに依存しないインターフェースで各種情報を提供できる効果があり、更にホームページ上の操作はＧＵＩを駆使したわかりやすい表現と簡単な操作が実現できるという効果がある。
（２）画像形成装置本体のコントローラユニットとＨＴＴＰサーバ部とは互いに交信可能であり、コントローラユニットの各種動作状況をＨＴＴＰサーバ部でも認識可能であるようにすることにより、画像形成装置本体の動作状況を、ＨＴＴＰサーバ部を通してネットワーク上のコンピュータが、画像形成装置の動作状況に関する各種情報を受け取れるという効果がある。
（３）画像形成装置本体のコントローラユニットとＨＴＴＰサーバ部とは互いに交信可能であり、ＨＴＴＰサーバ部からコントローラユニットを直接制御可能であるようにすることにより、画像形成装置本体を走査する制御コマンドを、ＨＴＴＰサーバ部を通してネットワーク上のコンピュータから送信することが可能となる効果がある。
（４）コントローラユニット上で動作するＨＴＴＰプロトコルを生成するＨＴＴＰサーバソフトウェアがＣＧＩ（Common Gateway Interface）機能を有することにより、ＨＴＴＰサーバ上で動作するプログラムに対してネットワーク上のコンピュータのＨＴＴＰブラウザから操作する環境を提供できるという効果がある。
（５）ＣＧＩ機能を利用することにより、画像形成装置本体の各種センサーからの情報を取り込み、ＨＴＴＰサーバソフトウェアに受け渡すためのプログラムが動作することにより、ＨＴＴＰサーバ部上で動作するプログラムに対してネットワーク上のコンピュータのＨＴＴＰプラウザから直接プログラムを起動操作し、画像形成装置本体の各種情報をＨＴＴＰサーバに取り込み、ＨＴＴＰサーバソフトウェアを通してネットワーク上のコンピュータのＨＴＴＰブラウザ上に画像形成装置本体の各種情報を加工・表示することができるという効果がある。
（６）ＣＧＩ機能を利用することにより、ＨＴＴＰサーバソフトウェアを通して画像形成装置本体に対して直接制御信号を送り、画像形成装置本体をコントロールするプログラムが動作することによりＨＴＴＰサーバ上で動作するプログラムに対してネットワーク上のコンピュータのＨＴＴＰブラウザから直接プログラムを起動操作し、画像形成装置本体を直接コントロールし、各種動作をさせることが可能となるという効果がある。
（７）ＨＴＴＰサーバ機能を実現するＨＴＴＰサーバソフトウェアは、一般的な汎用プラットフォームと互換性をもったＡＰＩ（Application Programing Interface）を有することにより、一般的なプラットフォームで動作するプログラムと同様の開発ツールでＣＧＩスクリプトを記述することができ、開発効率が高まるとともに、低コストで迅速なバージョンアップや修正が可能となるという効果がある。
【００４０】
尚、本発明は複数の機器（例えば、ホストコンピュータ，インタフェイス機器，リーダ，プリンタなど）から構成されるシステムに適用しても、一つの機器からなる装置（例えば、複写機，ファクシミリ装置など）に適用してもよい。
【００４１】
また、本発明の目的は前述した実施形態の機能を実現するソフトウェアのプログラムコードを記録した記憶媒体を、システム或いは装置に供給し、そのシステム或いは装置のコンピュータ（ＣＰＵ若しくはＭＰＵ）が記憶媒体に格納されたプログラムコードを読出し実行することによっても、達成されることは言うまでもない。
【００４２】
この場合、記憶媒体から読出されたプログラムコード自体が前述した実施形態の機能を実現することになり、そのプログラムコードを記憶した記憶媒体は本発明を構成することになる。
【００４３】
プログラムコードを供給するための記憶媒体としては、例えばフロッピーディスク，ハードディスク，光ディスク，光磁気ディスク，ＣＤ−ＲＯＭ，ＣＤ−Ｒ，磁気テープ，不揮発性のメモリカード，ＲＯＭなどを用いることができる。
【００４４】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部又は全部を行い、その処理によって前述した実施形態の機能が実現される場合も含まれることは言うまでもない。
【００４５】
更に、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部又は全部を行い、その処理によって前述した実施形態の機能が実現される場合も含まれることは言うまでもない。
【００４６】
【発明の効果】
以上説明したように、本発明によれば、コンピュータの汎用ブラウザでネットワークを介して接続されたディジタル複合装置の動作状況を監視できるとともに、その動作を制御することが可能となる。
【００４７】
【図面の簡単な説明】
【図１】第１の実施形態におけるディジタル複合装置の機能を示すブロック図である。
【図２】スタンドアロンの複写機として動作する場合の流れを示す図である。
【図３】第２の実施形態におけるディジタル複合装置のＨＴＴＰサーバ部３０１の論理階層構造を示す図である。
【図４】ＨＴＴＰサーバ部３０１に対するアクセス履歴を収集し解析表示するＣＧＩスクリプトを実装した時の動作を示すフローチャートである。
【図５】ディジタル複合装置のイメージスキャナ部を起動させて原稿を読み取り、読み取った画像データをクライアントコンピュータ上のブラウザで表示する動作を示すフローチャートである。
【符号の説明】
１０１  ＨＴＴＰサーバ部
１０２  本体コントローラ
１０３  本体操作部
１０４  画像処理部
１０５  本体各部センサー
１０６  本体各部アクチュエータ
１０７  ネットワーク
１０８  クライアントコンピュータ
１１１  メモリ
１１２  ＣＰＵ
１１３  Ｉ／Ｆ
１１４  ネットワークインターフェース
１１５  本体インターフェース
【図１】
0003862372.tif 000002
【図２】
0003862372.tif 000003
【図３】
0003862372.tif 000004
【図４】
0003862372.tif 000005
【図５】
0003862372.tif 000006